(57)【要約】【課題】  携帯電話機に接続可能なＵＳＢストレージデバイスを提供する。【解決手段】  ＵＳＢ（Universal Serial Bus）機器３０が備えるＵＳＢジャック３１に接続するＵＳＢインターフェースであるＵＳＢプラグ１１と、携帯電話機４０が備えるデータ通信コネクタ４１に接続するインターフェースである接続プラグ１２と、ＵＳＢプラグ１１を介して接続されたＵＳＢ機器３０又は接続プラグ１２を介して接続された携帯電話機４０によってアクセスされる、所定のファイルシステムによってデータを管理し、記憶する記憶手段２１とを備えることで実現する。【選択図】  図３
2005196503.tif 000002
【特許請求の範囲】
【請求項１】
ＵＳＢ（Universal Serial Bus）機器が備えるＵＳＢジャックに接続するＵＳＢインターフェースであるＵＳＢプラグと、
携帯電話機が備えるデータ通信コネクタに接続するインターフェースである接続プラグと、
上記ＵＳＢプラグを介して接続された上記ＵＳＢ機器又は上記接続プラグを介して接続された上記携帯電話機によってアクセスされる、所定のファイルシステムによってデータを管理し、記憶する記憶手段とを備えること
を特徴とする可搬型の情報記憶装置。
【請求項２】
生体情報を入力する入力手段と、
上記入力手段によって入力された上記生体情報の認証処理をする認証処理手段と、
上記認証処理手段によって、上記生体情報が認証されたことに応じて、上記記憶手段へのアクセスを許可するアクセス許可手段とを備えること
を特徴とする請求項１記載の情報記憶装置。
【請求項３】
上記認証処理手段によって上記生体情報が認証されたことに応じて、ＰＫＩ（Public Key Infrastructure）方式に基づいて、秘密鍵、及び公開鍵を生成し、生成した秘密鍵で所定のセキュリティ処理を行うＰＫＩ処理手段を備えること
を特徴とする請求項２記載の情報記憶装置。
【請求項４】
上記生体情報は、指紋情報であること
を特徴とする請求項２記載の情報記憶装置。
【発明の詳細な説明】
【技術分野】
【０００１】
本発明は、ＵＳＢ（Universal Serial Bus）をインターフェースとし、所定のファイルシステムを備えるリムーバルメディアに関するものであり、詳しくは、携帯電話機に接続することでデータ通信を行う可搬型の情報記憶装置に関する。
【背景技術】
【０００２】
無線通信を利用することで持ち歩いての通話を可能とする、いわゆる携帯電話機が非常に普及している。このような携帯電話機は、通常の通話機能以外に、電子メールの送受信機能、インターネットへ接続してのブラウズ機能などを標準的に搭載し、インターネット端末として活用されることも非常に多くなっている。
【０００３】
さらに、移動体通信端末装置としての持ち運びが容易な小型形状をそのままとしながら、デジタルカメラ機能、アプリケーションソフトウェアの実行機能、ＧＰＳ（Global  Positioning System）機能、インターネットからダウンロードした音楽の再生機能などを搭載した携帯電話機も普及している。このような携帯電話機は、ＰＤＡ（Personal Digital Assistant）といった携帯情報端末装置との区別がつかないほど、情報処理機能が充実した機器となってきている。
【０００４】
このように情報処理機能が充実し、上述したような各種機能を実行するには、携帯電話機に非常に多くのメモリ容量を確保することが必要となってくる。従来までは、携帯電話機に、低価格の大容量メモリを搭載することで、上記機能を実行するために十分なメモリ容量を確保していたが、付加機能が高機能化するにつれ、搭載されたメモリ容量を越えてしまうといった問題がある。例えば、デジタルカメラ機能が高機能化し、搭載されたＣＣＤ（Charge Coupled Device）撮像素子の画素数が大幅に増えると、従来のメモリ容量では、全く足りなくなってしまうことになる。
【０００５】
このように、大容量のデータを記憶するには、多くのメモリ容量を必要とするため、携帯電話機の小型形状を保ちながら、十分なメモリ容量を確保することは非常に困難である。そこで、このようなデータを記憶するために、外部メモリを利用する手法が考案されている。
【０００６】
まず、携帯電話機のデータ通信機能を用いて、十分なデータ記憶容量を有する記憶装置を備えた外部機器、例えば、ＰＣ（Personal Computer）などと無線通信をし、この外部機器へデータを送信するという手法が考案されている。しかしながら、このように多くのデータを無線通信するには、非常に高い通信料金がかかるため現実的ではないといった問題がある。
【０００７】
また、携帯電話機に、例えば、メモリスティック（登録商標）といったリムーバルメディアを接続するインターフェースを搭載させ、このリムーバルメディアにデータを書き込むという手法も考案されている。しかしながら、このようなリムーバルメディアは、規格が共通化されておらず、製造会社それぞれが独自のリムーバルメディアを提供している状況であるため、データ互換性がなく非常に利便性が悪くなってしまうといった問題がある。このようなインターフェースを備える場合には、携帯電話機の価格が上昇してしまうといった問題もある。
【０００８】
さらにまた、携帯電話機に標準であらかじめ備えられているデータ通信インターフェースと、十分なデータ記憶容量を有する記憶装置を備えた外部機器とを、専用の接続ケーブルを介して接続し、データを転送する手法が考案されている。
【０００９】
また、画像撮像機能を備えた携帯電話機にＵＳＢ（Universal Serial Bus）インターフェースを搭載し、同じくＵＳＢインターフェースを有する外部装置にＵＳＢケーブルを介して画像データを送信する手法が考案されている（例えば、特許文献１参照。）。
【００１０】
しかしながら、このような専用の接続ケーブルを用いる場合には、携帯電話機を持ち歩き、上記データ転送機能を利用する際には、この接続ケーブルを常に携帯していなくてはならず、携帯電話機の携帯性を十分に享受することができなくなってしまう。
【００１１】
【特許文献１】特開２０００−１１５７３２号公報
【発明の開示】
【発明が解決しようとする課題】
【００１２】
そこで、本発明は、このような問題を解決するために案出されたものであり、携帯電話機の携帯性を損なうことなく、さらに携帯電話機の製造コストを増加させずに容易に利用可能な外部メモリとして機能するリムーバルな情報記憶装置を提供することを目的とする。
【課題を解決するための手段】
【００１３】
上述の目的を達成するために、本発明に係る情報記憶装置は、ＵＳＢ（Universal Serial Bus）機器が備えるＵＳＢジャックに接続するＵＳＢインターフェースであるＵＳＢプラグと、携帯電話機が備えるデータ通信コネクタに接続するインターフェースである接続プラグと、上記ＵＳＢプラグを介して接続された上記ＵＳＢ機器又は上記接続プラグを介して接続された上記携帯電話機によってアクセスされる、所定のファイルシステムによってデータを管理し、記憶する記憶手段とを備えることを特徴とする。
【発明の効果】
【００１４】
本発明の情報記憶装置は、ＵＳＢ（Universal Serial Bus）機器が備えるＵＳＢジャックに接続するＵＳＢインターフェースであるＵＳＢプラグに加えて、携帯電話機が備えるデータ通信コネクタに接続するインターフェースである接続プラグを備えている。
【００１５】
これにより、上記ＵＳＢプラグを介して情報記憶装置に接続された上記ＵＳＢ機器以外にも、上記接続プラグを介して情報記憶装置に接続された上記携帯電話機から、所定のファイルシステムによってデータを管理し、記憶する記憶手段へのアクセスが可能となる。
【００１６】
このような情報記憶装置は、可搬型で非常に携帯性に優れたリムーバルメディアであるため、携帯電話機と共に携行することが容易である。また、携帯電話機に接続ケーブルなどを介さずに接続することができるため、携帯電話機の携帯性を損なうことなく、携帯電話機に備えられた様々な機能を支援する外部メモリとして利用することが可能となる。
【００１７】
また、情報記憶装置の接続プラグは、携帯電話機に従来から備えられているデータ通信コネクタと接続されるインターフェースであるため、外部メモリを利用するにあたって携帯電話機に新たなインターフェースを付加する必要がない。したがって、不要なコスト増加などを防止することが可能となる。
【００１８】
さらに、情報記憶装置は、入力手段によって入力された生体情報が、認証処理手段によって認証されたことに応じて、外部装置であるＵＳＢ機器或いは携帯電話機からの、当該情報記憶装置が備える記憶手段へのアクセス許可をするため、記憶手段で扱うデータに対するセキュリティを高めることが可能となる。
【発明を実施するための最良の形態】
【００１９】
以下、本発明に係る情報記憶装置の発明を実施するための最良の形態を図面を参照して詳細に説明をする。
【００２０】
図１、図２は、本発明を実施するための最良の形態として示すリムーバルな情報記憶装置である記憶メディア１０の使用形態を示した図である。
【００２１】
図１に示すように、記憶メディア１０は、外部装置であるＰＣ（Personal Computer）３０が備えるＵＳＢジャック３１に、当該記憶メディア１０が備えるＵＳＢプラグ１１を挿し込むことで使用可能となる。このように記憶メディア１０は、外部装置であるＰＣ３０に直接接続されることで、ＰＣ３０のデータストレージ、つまり外部メモリとして機能する。
【００２２】
また、図２に示すように、記憶メディア１０は、外部装置である携帯電話機４０が備えるデータ通信コネクタ４１に、当該記憶メディア１０が備える接続プラグ１２を挿し込むことで使用可能となる。このように記憶メディア１０は、外部装置である携帯電話機４０に直接接続されることで、携帯電話機４０のデータストレージ、つまり外部メモリとしても機能する。
【００２３】
携帯電話機４０は、通常の通話機能の他に、電子メールの送受信機能、インターネットへ接続してのブラウズ機能、デジタルスチルカメラ機能、デジタルビデオカメラ機能、アプリケーション実行機能、インターネットから音楽データをダウンロードし、再生する機能などを有している。なお、本発明は、携帯電話機４０のこのような機能に限定されるものではなく、データ通信コネクタ４１を備えていれば、携帯電話機４０がどのような機能を備えていてもよい。
【００２４】
図３を用いて、記憶メディア１０の構成について説明をする。
【００２５】
記憶メディア１０は、上述したＵＳＢプラグ１１及び接続プラグ１２と、当該記憶メディア１０を統括的に制御するコントローラ２０と、データの一括消去、再書き込みが可能なフラッシュメモリ２１とを備えている。
【００２６】
ＵＳＢプラグ１１は、上述したように、外部装置のＵＳＢインターフェース、例えば、図１に示したＰＣ３０のＵＳＢジャック３１と接続するためのＵＳＢインターフェースである。
【００２７】
ＵＳＢプラグ１１は、一般にＡタイププラグ（又は、シリーズＡプラグ）と呼ばれるホスト側の機器に接続するためのプラグである。また、ＵＳＢプラグ１１は、ＵＳＢ−ＩＦ（Universal Serial Bus Implementers Forum）によって制定されたＵＳＢデバイス同士を直接接続するための規格であるＵＳＢ  Ｏｎ−Ｔｈｅ−Ｇｏ（ＯＴＧ）で規定されたＭｉｎｉ−Ａタイププラグとすることもできる。Ｍｉｎｉ−Ａタイププラグは、Ａタイププラグよりも小型の形状をしており、同じ様にホスト側の機器に接続するためのプラグである。
【００２８】
ＵＳＢプラグ１１を介して、外部機器、例えば、ＰＣ３０と接続された記憶メディア１０は、ＰＣ３０から電源供給を受けることで動作し、ＰＣ３０とデータ通信を行う。
【００２９】
接続プラグ１２は、上述したように、図２に示した携帯電話機４０のデータ通信コネクタ４１と接続するためのデータ通信インターフェースである。
【００３０】
接続プラグ１２を介して、外部機器、例えば、携帯電話機４０と接続された記憶メディア１０は、携帯電話機４０から電源供給を受けることで動作し、携帯電話機４０とデータ通信を行う。
【００３１】
コントローラ２０は、図３に示すように、ＵＳＢコントローラ１３と、インターフェースコントローラ１４と、プログラム用ＲＡＭ／ＲＯＭ（Random Access Memory／Read Only Memory）１５と、ＣＰＵ（Central Processing Unit）１６とを備えている。ＵＳＢコントローラ１３と、インターフェースコントローラ１４と、プログラム用ＲＡＭ／ＲＯＭ１５と、ＣＰＵ１６とは、バス１７を介してそれぞれ接続されている。
【００３２】
ＵＳＢコントローラ１３は、ＵＳＢプラグ１１を介して行われるＰＣ３０と、当該記憶メディア１０とのデータ転送をＵＳＢプロトコルに基づき制御する。
【００３３】
インターフェースコントローラ１４は、接続プラグ１２を介して行われる携帯電話機４０と、当該記憶メディア１０とのデータ転送を所定のプロトコルに基づき制御する。
【００３４】
ＣＰＵ１６は、プログラム用ＲＡＭ／ＲＯＭ１５に格納されているファームウェアやファイルシステムを実行して、当該記憶メディア１０の動作を統括的に制御する。
【００３５】
ＣＰＵ１６は、上記ファイルシステムに基づいて、ＰＣ３０からＵＳＢプラグ１１を介して転送されたデータをフラッシュメモリ２１に書き込んで記憶させたり、記憶させたデータを読み出してＵＳＢプラグ１１を介してＰＣ３０に転送したりすることで、当該記憶メディア１０をデータストレージとして機能させる。
【００３６】
また、ＣＰＵ１６は、上記ファイルシステムに基づいて、携帯電話機４０から接続プラグ１２を介して転送されたデータをフラッシュメモリ２１に書き込んで記憶させたり、記憶させたデータを読み出して接続プラグ１２を介して携帯電話機４０に転送したりすることで、当該記憶メディア１０をデータストレージとして機能させる。
【００３７】
フラッシュメモリ２１は、当該記憶メディア１０の記憶部であり、プログラム用ＲＡＭ／ＲＯＭ１５からＣＰＵ１６に読み出されたファイルシステムによってファイルとして管理されるデータを記憶する。
【００３８】
このような、記憶メディア１０は、リムーバルで可搬性が非常に高いため、携帯電話機４０と共に容易に携帯することが可能である。したがって、携帯電話機４０において、当該携帯電話機４０に内蔵されているメモリ容量以上のデータを扱う場合に、この記憶メディア１０の接続プラグ１２を、携帯電話機４０のデータ通信コネクタ４１に接続することで、どのような環境においても容易にストレージメディアとして機能させることができる。
【００３９】
例えば、携帯電話機４０に備えられたデジタルスチルカメラ機能や、デジタルビデオカメラ機能を使用する場合など、撮像した画像データを記憶メディア１０のフラッシュメモリ２１内に格納させることができる。
【００４０】
また、例えば、記憶メディア１０のフラッシュメモリ２１に記憶させた音楽データを、携帯電話機４０の音楽データ再生機能で再生させることもできる。これにより、通信料金の非常に高い携帯電話機４０にてインターネットに接続し、音楽データをダウンロードしなくても、通信料金の低いＰＣ３０からインターネットに接続して音楽データをダウンロードし、ダウンロードした音楽データを利用することができる。
【００４１】
音楽データと同様に、記憶メディア１０のフラッシュメモリ２１に記憶させたアプリケーションソフトウェアを実行することで、携帯電話機４０に搭載されていない新たな機能も利用することができる。
【００４２】
上述した記憶メディア１０は、図４に示す記憶メディア５０のように、筐体上に指の指紋情報を読み取る指紋読み取りセンサ２２を有し、指紋照合処理機能を付加した構成とすることもできる。
【００４３】
図５に示すように、記憶メディア５０は、図３を用いて示した記憶メディア１０の構成に、さらに、指紋読み取りセンサ２２と、指紋照合用ＬＳＩ（Large Scale Integrated）回路２３とを備えた構成となっている。
【００４４】
指紋読み取りセンサ２２は、当該指紋読み取りセンサ２２に載せられた指の指紋の山谷、つまり指紋の凹凸を読み取るセンサである。
【００４５】
例えば、指紋読み取りセンサ２２は、静電容量方式で指紋の凹凸を検出し、２次元画像を生成する。静電容量方式の指紋読み取りセンサ２２には、指紋の凹凸のピッチよりも十分に細かい、８０μｍピッチに電極が配置されており、指紋の凹凸と、上記電極間に蓄積される電荷の量（静電容量）を検出する。指紋の凹部では検出される静電容量が低く、指紋の凸部では静電容量が高くなるため、この静電容量差から指紋の凹凸を表した２次元画像が生成される。
【００４６】
なお、指紋読み取りセンサ２２は、上述したような静電容量方式だけではなく、光学式、感圧式、感熱式などでもよく、指紋の凹凸を示した２次元画像を検出できればどのような検出方式であってもかまわない。
【００４７】
指紋照合用ＬＳＩ回路２３は、指紋照合処理時において、フラッシュメモリ２１にあらかじめ記憶させた指紋画像の特徴部分のみを抽出したテンプレートデータを読み出し、指紋読み取りセンサ２２によって検出された指紋画像と、読み出したテンプレートデータとを比較照合する。指紋照合用ＬＳＩ回路２３で比較照合された結果は、ＣＰＵ１６に通知される。
【００４８】
記憶メディア５０のフラッシュメモリ２１は、指紋照合処理の際に用いる基準となる指紋情報であるテンプレートデータが記憶される。当該記憶メディア５０を用いた指紋照合処理を実行する場合、ユーザは、あらかじめ、このフラッシュメモリ２１にユーザ自身の指紋情報を登録しておく必要がある。フラッシュメモリ２１に記憶される指紋情報は、指紋画像の特徴部分を抽出したテンプレートデータである。
【００４９】
さらに、記憶メディア５０のフラッシュメモリ２１は、上記指紋読み取りセンサ２２及び指紋照合用ＬＳＩ回路２３による指紋照合処理による指紋照合結果に応じて、記憶されたデータの読み出し、書き込みを可能とするような記憶領域を備えている。
【００５０】
記憶メディア５０のＣＰＵ１６は、プログラム用ＲＡＭ／ＲＯＭ１５に格納されているファームウェアを実行して指紋照合処理を行い、指紋照合結果に応じて、ＵＳＢプラグ１１を介して接続されたＰＣ３０によるフラッシュメモリ２１へのアクセスを許可し、同じく指紋照合結果に応じて、接続プラグ１２を介して接続された携帯電話機４０によるフラッシュメモリ２１へのアクセスを許可するように制御をする。
【００５１】
このように、記憶メディア５０は、指紋読み取りセンサ２２及び指紋照合用ＬＳＩ回路２３を備えることで、ユーザ認証がなされるため、ＰＣ３０、携帯電話機４０に接続して、記憶メディア１０を用いて説明したような、例えば、画像データ、音楽データ、アプリケーションソフトウェアといった各種データを利用する場合のセキュリティを高めることができる。
【００５２】
また、記憶メディア５０は、ＵＳＢプラグ１１を介して接続されたＰＣ３０とのデータ送受信時、又は接続プラグ１２を介して接続された携帯電話器４０とのデータ送受信時において、ＰＫＩ（Public Key Infrastructure）に基づいたセキュリティ処理を実行することも可能である。
【００５３】
例えば、記憶メディア５０は、指紋読み取りセンサ２２及び指紋照合用ＬＳＩ回路２３によってユーザ認証がなされたことに応じて、フラッシュメモリ２１へのアクセスを可能とすると共に、ＰＫＩ技術である公開鍵と、秘密鍵とを用いた非対称暗号化方式によって、データに秘匿性を持たせて、当該記憶メディア５０を接続したＰＣ３０や携帯電話機４０といった外部機器とデータ送受信を行うことで、非常に高いセキュリティを実現することができる。
【００５４】
なお、本発明は、ＰＫＩに基づいたセキュリティ処理の種別に限定されるものではなく、外部機器とのデータ送受信時において、現在知られているＰＫＩに基づいたどのようなセキュリティ処理も適用可能である。
【００５５】
また、本発明を実施するための最良の形態として示した記憶メディア５０は、指紋照合処理機能を備えた構成としているが、本発明はこれに限定されるものではなく、指紋以外の生体情報による認証処理機能を備えていてもよい。
【図面の簡単な説明】
【００５６】
【図１】本発明を実施するための最良の形態として示す記憶メディアの第１の使用形態について説明するための図である。
【図２】同記憶メディアの第２の使用形態について説明するための図である。
【図３】同記憶メディアの構成について説明するための図である。
【図４】指紋照合処理機能を付加した記憶メディアについて説明するための図である。
【図５】指紋照合処理機能を付加した記憶メディアの構成について説明するための図である。
【符号の説明】
【００５７】
１０，５０  記憶メディア、１１  ＵＳＢ（Universal Serial Bus）プラグ、１２  接続プラグ、１３  ＵＳＢコントローラ、１４  インターフェースコントローラ、１５  プログラム用ＲＡＭ／ＲＯＭ（Random Access Memory／Read Only Memory）、１６  ＣＰＵ（Central Processing Unit）、２０  コントローラ、２１  フラッシュメモリ、２２  指紋読み取りセンサ、２３  指紋照合用ＬＳＩ（Large Scale Integrated）回路
【図１】
2005196503.tif 000003
【図２】
2005196503.tif 000004
【図３】
2005196503.tif 000005
【図４】
2005196503.tif 000006
【図５】
2005196503.tif 000007